(57)【特許請求の範囲】
【請求項１】
他装置との間で通信可能な情報表示装置において、
表示手段と、
書籍名と、テキストとを対応づけた書籍コンテンツを複数記憶するコンテンツ記憶手段と、
前記コンテンツ記憶手段に記憶された書籍コンテンツのうち、ユーザ操作に基づいて選択された書籍コンテンツの書籍名を記憶する書籍名記憶手段と、
他装置から、当該他装置の書籍名記憶手段である他装置書籍名記憶手段に記憶された書籍名を受信する登録書籍名受信手段と、
前記登録書籍名受信手段によって受信された書籍名を前記表示手段に一覧表示させる一覧表示制御手段と、
ユーザ操作に基づいて、前記一覧表示制御手段により表示制御された何れかの書籍名を共有対象の書籍名として選択する共有書籍名選択手段と、
前記共有対象の書籍名を前記書籍名記憶手段に記憶させる一覧内書籍名記憶制御手段と、
前記共有対象の書籍名を、当該書籍名の送信元としての前記他装置に送信する登録結果送信手段と、
を備え、
前記書籍名記憶手段は、
他装置における前記登録結果送信手段からの送信結果に基づいて、当該書籍名記憶手段に記憶された書籍名ごとに、当該書籍名を前記共有対象の書籍名として前記書籍名記憶手段に記憶した他装置の装置数をカウントして記憶する装置数記憶手段を有し、
前記登録書籍名受信手段は、
他装置から各書籍名を、当該書籍名に対応付けられた前記装置数とともに受信し、
前記一覧表示制御手段は、
前記登録書籍名受信手段によって受信された各書籍名を、当該書籍名に対応付けられた前記装置数に応じた表示態様で前記表示手段に表示させる表示態様制御手段を有することを特徴とする情報表示装置。
【請求項２】
請求項１記載の情報表示装置において、
前記コンテンツ記憶手段に記憶された何れかの書籍コンテンツのテキストを前記表示手段に表示させるテキスト表示制御手段と、
ユーザ操作に基づいて、前記表示手段に表示されたテキスト内の文字列をマーカー表示文字列として指定するマーカー表示文字列指定手段と、
ユーザ操作に基づいて、前記マーカー表示文字列についてのコメントを入力するコメント入力手段と、
前記マーカー表示文字列の指定された書籍コンテンツごとに、当該書籍コンテンツ内での前記マーカー表示文字列の位置情報と、当該マーカー表示文字列についての前記コメントとを対応付けて記憶するマーカー・コメント記憶手段と、
前記表示手段に書籍コンテンツのテキストが表示される場合に、前記マーカー・コメント記憶手段に記憶された位置情報に基づいて前記マーカー表示文字列をマーカー表示させるとともに、このマーカー表示文字列に対応する前記コメントを当該マーカー表示文字列に関連付けて表示させるマーカー・コメント表示制御手段と、
前記登録書籍名受信手段に対する書籍名の送信元としての他装置から、当該他装置における前記マーカー・コメント記憶手段によって各書籍コンテンツについて記憶された情報のうち、前記コンテンツ記憶手段に記憶されている書籍コンテンツについて記憶された情報を受信するマーカー・コメント情報受信手段と、
前記マーカー・コメント情報受信手段により受信された情報を、書籍コンテンツごとに前記マーカー・コメント記憶手段に追加記憶させるマーカー・コメント情報記憶制御手段と、
を備えることを特徴とする情報表示装置。
【請求項３】
請求項２記載の情報表示装置において、
前記マーカー・コメント情報受信手段は、
前記登録書籍名受信手段に対する書籍名の送信元としての他装置から、当該他装置における前記マーカー・コメント記憶手段によって各書籍コンテンツについて記憶された情報のうち、当該情報表示装置における前記マーカー・コメント記憶手段により情報の記憶されている書籍コンテンツについて記憶された情報を受信することを特徴とする情報表示装置。
【請求項４】
請求項２または３記載の情報表示装置において、
ユーザ名を記憶するユーザ名記憶手段を備え、
前記マーカー・コメント記憶手段は、
前記マーカー表示文字列の位置情報及び前記コメントに対応付けて、当該コメントの入力された当該情報表示装置または他装置のユーザ名を記憶しており、
前記マーカー・コメント表示制御手段は、
前記マーカー表示文字列に対応する前記コメント及びユーザ名を、当該マーカー表示文字列に関連付けて表示させることを特徴とする情報表示装置。
【請求項５】
他装置との間で通信可能な情報表示装置において、
表示手段と、
見出し語と、当該見出し語の説明情報とを対応づけて複数記憶した辞書記憶手段と、
前記辞書記憶手段に記憶された見出し語のうち、ユーザ操作に基づいて選択された見出し語を記憶する単語帳記憶手段と、
他装置から、当該他装置の単語帳記憶手段である他装置単語帳記憶手段に記憶された見出し語を受信する登録見出し語受信手段と、
前記登録見出し語受信手段によって受信された見出し語を前記表示手段に一覧表示させる一覧表示制御手段と、
ユーザ操作に基づいて、前記一覧表示制御手段により表示制御された何れかの見出し語を共有対象の見出し語として選択する共有見出し語選択手段と、
前記共有対象の見出し語を前記単語帳記憶手段に記憶させる一覧内単語帳記憶制御手段と、
前記共有対象の見出し語を、当該見出し語の送信元としての前記他装置に送信する登録結果送信手段と、
を備え、
前記単語帳記憶手段は、
他装置における前記登録結果送信手段からの送信結果に基づいて、当該単語帳記憶手段に記憶された見出し語ごとに、当該見出し語を前記共有対象の見出し語として前記単語帳記憶手段に記憶した他装置の装置数をカウントして記憶する装置数記憶手段を有し、
前記登録見出し語受信手段は、
他装置から各見出し語を、当該見出し語に対応付けられた前記装置数とともに受信し、
前記一覧表示制御手段は、
前記登録見出し語受信手段によって受信された各見出し語を、当該見出し語に対応付けられた前記装置数に応じた表示態様で前記表示手段に表示させる表示態様制御手段を有することを特徴とする情報表示装置。
【請求項６】
請求項５記載の情報表示装置において、
前記一覧表示制御手段は、
前記登録見出し語受信手段によって受信された見出し語のうち、前記単語帳記憶手段に記憶されている見出し語を識別表示させる登録見出し語識別表示制御手段を有することを特徴とする情報表示装置。
【請求項７】
表示手段を有し、他装置との間で通信可能なコンピュータに、
書籍名と、テキストとを対応づけた書籍コンテンツを複数記憶するコンテンツ記憶機能と、
前記コンテンツ記憶機能によって記憶された書籍コンテンツのうち、ユーザ操作に基づいて選択された書籍コンテンツの書籍名を記憶する書籍名記憶機能と、
他装置から、当該他装置の書籍名記憶機能である他装置書籍名記憶機能によって記憶された書籍名を受信する登録書籍名受信機能と、
前記登録書籍名受信機能によって受信された書籍名を前記表示手段に一覧表示させる一覧表示制御機能と、
ユーザ操作に基づいて、前記一覧表示制御機能により表示制御された何れかの書籍名を共有対象の書籍名として選択する共有書籍名選択機能と、
前記共有対象の書籍名を前記書籍名記憶機能の記憶領域に記憶させる一覧内書籍名記憶制御機能と、
前記共有対象の書籍名を、当該書籍名の送信元としての前記他装置に送信する登録結果送信機能と、
を実現させ、
前記書籍名記憶機能は、
他装置における前記登録結果送信機能による送信結果に基づいて、当該書籍名記憶機能により記憶された書籍名ごとに、当該書籍名を前記共有対象の書籍名として前記書籍名記憶機能の記憶領域に記憶した他装置の装置数をカウントして記憶する装置数記憶機能を有し、
前記登録書籍名受信機能は、
他装置から各書籍名を、当該書籍名に対応付けられた前記装置数とともに受信し、
前記一覧表示制御機能は、
前記登録書籍名受信機能によって受信された各書籍名を、当該書籍名に対応付けられた前記装置数に応じた表示態様で前記表示手段に表示させる表示態様制御機能を有することを特徴とする情報表示プログラム。
【請求項８】
表示手段を有し、他装置との間で通信可能なコンピュータに、
見出し語と、当該見出し語の説明情報とを対応づけて複数記憶した辞書記憶機能と、
前記辞書記憶機能により記憶された見出し語のうち、ユーザ操作に基づいて選択された見出し語を記憶する単語帳記憶機能と、
他装置から、当該他装置の単語帳記憶手段である他装置単語帳機能によって記憶された見出し語を受信する登録見出し語受信機能と、
前記登録見出し語受信機能によって受信された見出し語を前記表示手段に一覧表示させる一覧表示制御機能と、
ユーザ操作に基づいて、前記一覧表示制御機能により表示制御された何れかの見出し語を共有対象の見出し語として選択する共有見出し語選択機能と、
前記共有対象の見出し語を前記単語帳記憶機能の記憶領域に記憶させる一覧内単語帳記憶制御機能と、
前記共有対象の見出し語を、当該見出し語の送信元としての前記他装置に送信する登録結果送信機能と、
を実現させ、
前記単語帳記憶機能は、
他装置における前記登録結果送信機能による送信結果に基づいて、当該単語帳記憶機能により記憶された見出し語ごとに、当該見出し語を前記共有対象の見出し語として前記単語帳記憶機能の記憶領域に記憶した他装置の装置数をカウントして記憶する装置数記憶機能を有し、
前記登録見出し語受信機能は、
他装置から各見出し語を、当該見出し語に対応付けられた前記装置数とともに受信し、
前記一覧表示制御機能は、
前記登録見出し語受信機能によって受信された各見出し語を、当該見出し語に対応付けられた前記装置数に応じた表示態様で前記表示手段に表示させる表示態様制御機能を有することを特徴とする情報表示プログラム。
【請求項９】
他装置との間で通信可能な情報表示装置において、
前記他装置から、当該他装置にて選択された書籍名を受信する書籍名受信手段と、
前記書籍名受信手段によって受信された書籍名のうちの何れかの書籍名を共有対象の書籍名として選択する共有書籍名選択手段と、
前記共有対象の書籍名を、当該書籍名の送信元としての前記他装置に送信する登録結果送信手段と、
前記他装置から前記共有対象の書籍名を受信して、当該書籍名ごとに前記他装置の装置数をカウントし、前記受信された書籍名を当該カウントされた前記装置数に応じた表示態様で表示させる表示態様制御手段と、
を有することを特徴とする情報表示装置。
【請求項１０】
請求項９記載の情報表示装置において、
書籍名と、テキストとを対応づけた書籍コンテンツを複数記憶するコンテンツ記憶手段と、
前記コンテンツ記憶手段に記憶された書籍コンテンツのうち、ユーザ操作に基づいて選択された書籍コンテンツの書籍名を記憶する書籍名記憶手段と、
前記コンテンツ記憶手段に記憶された何れかの書籍コンテンツのテキスト内の文字列をマーカー文字列として指定するマーカー文字列指定手段と、
前記マーカー文字列指定手段により指定されたマーカー文字列を当該書籍名に対応づけて記憶するマーカー記憶手段と、
を備え、
前記他装置から共有対象の書籍名を受信した際に、受信した書籍名と同じ書籍名が前記マーカー記憶手段に記憶されている場合に、当該書籍名のマーカー文字列を前記他装置から受信するマーカー受信手段を備えることを特徴とする情報表示装置。
【請求項１１】
前記マーカー文字列指定手段により指定されたマーカー文字列に対応づけて、コメントを入力するコメント入力手段を備え、
前記マーカー記憶手段は、前記入力されたコメントを前記マーカー文字列と前記書籍名に対応づけて記憶するマーカー・コメント記憶手段を備え、
前記マーカー送信手段は、前記他装置から共有対象の書籍名を受信した際に、受信した書籍名と同じ書籍名が前記マーカー記憶手段に記憶されている場合に、当該書籍名のマーカー文字列とコメントとを前記他装置から受信するマーカー・コメント受信手段を備える、
ことを特徴とする請求項１０に記載の情報表示装置。
【請求項１２】
他装置との間で通信可能な情報表示装置において、
前記他装置から、当該他装置にて選択された見出し語を受信する見出し語受信手段と、
前記見出し語受信手段によって受信された見出し語のうちの何れかの見出し語を共有対象の見出し語として選択する共有見出し語選択手段と、
前記共有対象の見出し語を、当該見出し語の送信元としての前記他装置に送信する登録結果送信手段と、
前記他装置から前記共有対象の見出し語を受信して、当該見出し語ごとに前記他装置の装置数をカウントし、前記受信された見出し語を当該カウントされた前記装置数に応じた表示態様で表示させる表示態様制御手段と、
を有することを特徴とする情報表示装置。
【請求項１３】
他装置との間で通信可能なコンピュータに、
前記他装置から、当該他装置にて選択された書籍名を受信する書籍名受信機能と、
前記書籍名受信機能によって受信された書籍名のうちの何れかの書籍名を共有対象の書籍名として選択する共有書籍名選択機能と、
前記共有対象の書籍名を、当該書籍名の送信元としての前記他装置に送信する登録結果送信機能と、
前記他装置から前記共有対象の書籍名を受信して、当該書籍名ごとに前記他装置の装置数をカウントし、受信された書籍名を当該カウントされた前記装置数に応じた表示態様で表示させる表示態様制御機能と、
を有することを特徴とする情報表示装置。
【請求項１４】
他装置との間で通信可能なコンピュータに、
前記他装置から、当該他装置にて選択された見出し語を受信する見出し語受信機能と、
前記見出し語受信機能によって受信された見出し語のうちの何れかの見出し語を共有対象の見出し語として選択する共有見出し語選択機能と、
前記共有対象の見出し語を、当該見出し語の送信元としての前記他装置に送信する登録結果送信機能と、
前記他装置から共有対象の見出し語を受信して、当該見出し語ごとに前記他装置の装置数をカウントし、当該受信された見出し語を当該カウントされた前記装置数に応じた表示態様で表示させる表示態様制御機能を、
有することを特徴とする情報表示装置。
【発明の詳細な説明】
【技術分野】
【０００１】
本発明は、情報表示装置及び情報表示プログラムに関する。
【背景技術】
【０００２】
従来から、辞書機能を有する電子辞書などの情報表示装置においては、各見出し語と見出し語の説明情報とを対応付けて記憶する辞書データベースが備えられており、入力された文字に対応する見出し語の説明情報を辞書データベースから読み出して、見出し語と説明情報とをディスプレイに表示させるようになっている。
【０００３】
ところで、このような情報表示装置には、一般に、単語帳機能が搭載されている。単語帳機能とは、説明情報の表示された単語（見出し語）と、検索元の辞書データベースとを、ユーザ操作に基づいて単語帳テーブルに登録しておき、復習を容易化して学習効率を向上させる機能である。
【０００４】
そして、近年、単語帳機能を搭載した情報表示装置では、単語帳テーブルに登録したデータを他の情報表示装置との間で送受信して共有することが可能となっている（例えば、特許文献１参照）。
【先行技術文献】
【特許文献】
【０００５】
【特許文献１】特許４２２８６９３号
【発明の概要】
【発明が解決しようとする課題】
【０００６】
しかしながら、上記特許文献１の技術では、他人が登録した膨大な量の単語が自分の情報表示装置の単語帳テーブルに無条件に取り込まれる結果、自分にとって不要な単語も単語帳テーブルに登録されてしまうため、却って学習効率が低下する場合がある。また、このような問題は、お気に入りとして登録した書籍コンテンツの書籍名を他人の情報表示装置との間で共有する場合にも、同様に生じてしまう。
【０００７】
本発明の課題は、他人の登録した単語や書籍名を自分の好みに応じて適切かつ容易に共有することのできる情報表示装置及び情報表示プログラムを提供することである。
【課題を解決するための手段】
【０００８】
請求項１記載の発明は、他装置との間で通信可能な情報表示装置において、
表示手段と、
書籍名と、テキストとを対応づけた書籍コンテンツを複数記憶するコンテンツ記憶手段と、
前記コンテンツ記憶手段に記憶された書籍コンテンツのうち、ユーザ操作に基づいて選択された書籍コンテンツの書籍名を記憶する書籍名記憶手段と、
他装置から、当該他装置の書籍名記憶手段である他装置書籍名記憶手段に記憶された書籍名を受信する登録書籍名受信手段と、
前記登録書籍名受信手段によって受信された書籍名を前記表示手段に一覧表示させる一覧表示制御手段と、
ユーザ操作に基づいて、前記一覧表示制御手段により表示制御された何れかの書籍名を共有対象の書籍名として選択する共有書籍名選択手段と、
前記共有対象の書籍名を前記書籍名記憶手段に記憶させる一覧内書籍名記憶制御手段と、
前記共有対象の書籍名を、当該書籍名の送信元としての前記他装置に送信する登録結果送信手段と、
を備え、
前記書籍名記憶手段は、
他装置における前記登録結果送信手段からの送信結果に基づいて、当該書籍名記憶手段に記憶された書籍名ごとに、当該書籍名を前記共有対象の書籍名として前記書籍名記憶手段に記憶した他装置の装置数をカウントして記憶する装置数記憶手段を有し、
前記登録書籍名受信手段は、
他装置から各書籍名を、当該書籍名に対応付けられた前記装置数とともに受信し、
前記一覧表示制御手段は、
前記登録書籍名受信手段によって受信された各書籍名を、当該書籍名に対応付けられた前記装置数に応じた表示態様で前記表示手段に表示させる表示態様制御手段を有することを特徴とする。
【００１２】
請求項５記載の発明は、他装置との間で通信可能な情報表示装置において、
表示手段と、
見出し語と、当該見出し語の説明情報とを対応づけて複数記憶した辞書記憶手段と、
前記辞書記憶手段に記憶された見出し語のうち、ユーザ操作に基づいて選択された見出し語を記憶する単語帳記憶手段と、
他装置から、当該他装置の単語帳記憶手段である他装置単語帳記憶手段に記憶された見出し語を受信する登録見出し語受信手段と、
前記登録見出し語受信手段によって受信された見出し語を前記表示手段に一覧表示させる一覧表示制御手段と、
ユーザ操作に基づいて、前記一覧表示制御手段により表示制御された何れかの見出し語を共有対象の見出し語として選択する共有見出し語選択手段と、
前記共有対象の見出し語を前記単語帳記憶手段に記憶させる一覧内単語帳記憶制御手段と、
前記共有対象の見出し語を、当該見出し語の送信元としての前記他装置に送信する登録結果送信手段と、
を備え、
前記単語帳記憶手段は、
他装置における前記登録結果送信手段からの送信結果に基づいて、当該単語帳記憶手段に記憶された見出し語ごとに、当該見出し語を前記共有対象の見出し語として前記単語帳記憶手段に記憶した他装置の装置数をカウントして記憶する装置数記憶手段を有し、
前記登録見出し語受信手段は、
他装置から各見出し語を、当該見出し語に対応付けられた前記装置数とともに受信し、
前記一覧表示制御手段は、
前記登録見出し語受信手段によって受信された各見出し語を、当該見出し語に対応付けられた前記装置数に応じた表示態様で前記表示手段に表示させる表示態様制御手段を有することを特徴とする。
【００１４】
請求項９記載の発明は、他装置との間で通信可能な情報表示装置において、
前記他装置から、当該他装置にて選択された書籍名を受信する書籍名受信手段と、
前記書籍名受信手段によって受信された書籍名のうちの何れかの書籍名を共有対象の書籍名として選択する共有書籍名選択手段と、
前記共有対象の書籍名を、当該書籍名の送信元としての前記他装置に送信する登録結果送信手段と、
前記他装置から前記共有対象の書籍名を受信して、当該書籍名ごとに前記他装置の装置数をカウントし、前記受信された書籍名を当該カウントされた前記装置数に応じた表示態様で表示させる表示態様制御手段と、
を有することを特徴とする。
【００１５】
請求項１２記載の発明は、他装置との間で通信可能な情報表示装置において、
前記他装置から、当該他装置にて選択された見出し語を受信する見出し語受信手段と、
前記見出し語受信手段によって受信された見出し語のうちの何れかの見出し語を共有対象の見出し語として選択する共有見出し語選択手段と、
前記共有対象の見出し語を、当該見出し語の送信元としての前記他装置に送信する登録結果送信手段と、
前記他装置から前記共有対象の見出し語を受信して、当該見出し語ごとに前記他装置の装置数をカウントし、前記受信された見出し語を当該カウントされた前記装置数に応じた表示態様で表示させる表示態様制御手段と、
を有することを特徴とする。
【発明の効果】
【００１６】
請求項１記載の発明によれば、書籍名ごとに、当該書籍名を共有対象の書籍名とする他装置の装置数がカウントして記憶されるとともに、他装置から各書籍名が前記装置数とともに受信され、受信された各書籍名が前記装置数に応じた表示態様で表示されるので、多数のユーザが他装置で共有対象として記憶した書籍名を、自装置に取り込むことができる。従って、他人が登録した膨大な量の書籍名が自装置に無条件に取り込まれてしまう従来の場合と異なり、他人の登録した書籍名を自分の好みに応じて適切かつ容易に共有することができる。
【００１７】
請求項５記載の発明によれば、見出し語ごとに、当該見出し語を共有対象の見出し語とする他装置の装置数がカウントして記憶されるとともに、他装置から各見出し語が前記装置数とともに受信され、受信された各見出し語が前記装置数に応じた表示態様で表示されるので、多数のユーザが他装置で共有対象として記憶した見出し語を、自装置に取り込むことができる。従って、他人が登録した膨大な量の単語が自装置に無条件に取り込まれてしまう従来の場合と異なり、他人の登録した単語を自分の好みに応じて適切かつ容易に共有することができる。
請求項９記載の発明によれば、書籍名ごとに他装置の装置数をカウントし、受信された書籍名が当該カウントされた前記装置数に応じた表示態様で表示されるので、多数のユーザが他装置で共有対象として記憶した書籍名を、取り込むことができる。従って、他人が登録した膨大な量の書籍名が無条件に取り込まれてしまう従来の場合と異なり、他人の登録した書籍名を自分の好みに応じて適切かつ容易に共有することができる。
請求項１２記載の発明によれば、見出し語ごとに他装置の装置数をカウントし、受信された見出し語が当該カウントされた前記装置数に応じた表示態様で表示されるので、多数のユーザが他装置で共有対象として記憶した見出し語を、取り込むことができる。従って、他人が登録した膨大な量の見出し語が無条件に取り込まれてしまう従来の場合と異なり、他人の登録した見出し語を自分の好みに応じて適切かつ容易に共有することができる。
【図面の簡単な説明】
【００１８】
【図１】電子辞書の概観を示す平面図である。
【図２】電子辞書の内部構成を示すブロック図である。
【図３】（ａ）は辞書データベースのデータ構造を示す図であり、（ｂ）はお気に入り書籍登録テーブルのデータ構造を示す図であり、（ｃ）は付箋マーカーデータベースのデータ構造を示す図である。
【図４】情報表示処理を示すフローチャートである。
【図５】情報表示処理を示すフローチャートである。
【図６】情報表示処理を示すフローチャートである。
【図７】表示部の表示内容を示す図である。
【図８】表示部の表示内容を示す図である。
【図９】表示部の表示内容を示す図である。
【図１０】表示部の表示内容を示す図である。
【図１１】表示部の表示内容を示す図である。
【図１２】表示部の表示内容を示す図である。
【図１３】単語帳共有処理を示すフローチャートである。
【図１４】表示部の表示内容を示す図である。
【図１５】表示部の表示内容を示す図である。
【発明を実施するための形態】
【００１９】
以下、図面を参照して、本発明に係る情報表示装置を電子辞書に適用した場合の実施形態について詳細に説明する。
【００２０】
［外観構成］
図１は、電子辞書１の平面図である。
この図に示すように、電子辞書１は、メインディスプレイ１０、サブディスプレイ１１、カードスロット１２及びキー群２を備えている。
【００２１】
メインディスプレイ１０及びサブディスプレイ１１は、ユーザによるキー群２の操作に応じた文字や符号等、各種データをカラーで表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００２２】
カードスロット１２は、種々の情報を記憶した外部情報記憶媒体１２ａ（図２参照）と着脱可能に設けられている。
【００２３】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、シフトキー２ｆと、戻るキー２ｇと、単語帳キー２ｈ等とを有している。
【００２４】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８２０，…（図２参照）の選択に使用されるキーである。
【００２５】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。単語帳キー２ｈは、説明情報の表示された見出し語を登録して後述の単語帳テーブル８７（図２参照）に記憶させるときや、単語帳テーブル８７に記憶された見出し語を一覧表示するとき等に使用されるキーであり、本実施の形態においては、単語帳登録を行う場合にはシフトキー２ｆと組み合わせて使用され、登録内容を一覧表示する場合には単独で使用されるようになっている。
【００２６】
［内部構成］
続いて、電子辞書１の内部構造について説明する。図２は、電子辞書１の内部構成を示すブロック図である。
【００２７】
この図に示すように、電子辞書１は、表示部４０、入力部３０、通信部５０、記録媒体読取部６０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００２８】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２９】
入力部３０は、上述のキー群２やタッチパネル１１０を備えており、押下されたキーやタッチパネル１１０の位置に対応する信号をＣＰＵ２０に出力するようになっている。
【００３０】
通信部５０は、同種の他の電子辞書１（以下、自装置としての電子辞書１と区別して他装置の電子辞書１Ａとする）における通信部５０との間で無線データ通信を行うものであり、本実施の形態においては、ブルートゥース方式によってデータ通信を行うようになっている。但し、この通信部５０は、他の方式によって無線データ通信を行うこととしても良いし、ＬＡＮケーブル等によって有線データ通信を行うこととしても良い。
また、この通信部５０は、インターネットに接続可能となっており、これにより、インターネットに接続される外部機器との通信が可能となっている。
【００３１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００３２】
ここで、外部情報記憶媒体１２ａには、通信部５０を介してダウンロードされる辞書データベース８２０や書籍コンテンツ８３０が格納されるようになっている。なお、これら辞書データベース８２０や書籍コンテンツ８３０は後述のフラッシュＲＯＭ８０における辞書データベース８２０や書籍コンテンツ８３０と同様のデータ構造を有しているため、ここでは説明を省略する。
【００３３】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、書籍コンテンツ群８３と、ユーザ名設定データ８４と、お気に入り書籍登録テーブル８５と、付箋マーカーデータベース８６と、単語帳テーブル８７とを記憶している。
【００３４】
情報表示プログラム８１は、後述の情報表示処理（図４〜図６参照）及び単語帳共有処理（図１３参照）をＣＰＵ２０に実行させるためのプログラムである。
【００３５】
辞書データベース群８２は、辞書データベース８２０を複数有しており、本実施の形態においては、英和辞書や英漢辞書などの辞書データベース８２０を有している。
【００３６】
これら辞書データベース８２０，…には、例えば図３（ａ）に１例を示すように、見出し語と、この見出し語の説明情報とを対応付けた見出し語情報が複数格納されている。
【００３７】
書籍コンテンツ群８３は、書籍コンテンツ８３０を複数有しており、本実施の形態においては、夏目漱石の「もう死にます（夢十夜）」などの書籍コンテンツ８３０を有している。
【００３８】
これら書籍コンテンツ８３０は、通信部５０によりダウンロードされて、或いはデフォルトでフラッシュＲＯＭ８０に格納されており、書籍のテキストと、書籍名とを対応付けて記憶している。また、この書籍コンテンツ８３０は、ウェブサイトからダウンロードされたものである場合には、当該ウェブサイトのＵＲＬを含むようになっている。
【００３９】
ユーザ名設定データ８４は、電子辞書１のユーザ名を示すデータであり、ユーザによって任意に設定可能となっている。
【００４０】
お気に入り書籍登録テーブル８５は、フラッシュＲＯＭ８０及び外部情報記憶媒体１２ａに記憶された書籍コンテンツ８３０のうち、ユーザからお気に入り登録の対象として選択された書籍コンテンツ８３０の書籍名を記憶するようになっている。より詳細には、このお気に入り書籍登録テーブル８５では、図３（ｂ）に示すように、書籍名の各記憶領域に対し、当該記憶領域を識別するための記号（以下、記憶位置名とする）「Ａ」，「Ｂ」，…が対応付けられている。また、このお気に入り書籍登録テーブル８５は、内部に記憶した書籍名ごとに、後述の情報表示処理（図４〜図６参照）によって当該書籍名を共有対象としてお気に入り書籍登録テーブル８５に記憶した他装置の電子辞書１Ａの装置数をカウントして記憶するようになっている。なお、このお気に入り書籍登録テーブル８５では、書籍名の登録された書籍コンテンツ８３０がウェブサイトからダウンロードされたものである場合には、当該ウェブサイトのＵＲＬを書籍名などに対応付けて記憶するようになっている。
【００４１】
付箋マーカーデータベース８６は、後述の情報表示処理（図４〜図６参照）において登録される付箋マーカー１０２（図８（ｃ）等参照）についての情報を蓄積記憶するものである。ここで、付箋マーカー１０２とは、テキスト内でマーカー表示された文字列（以下、マーカー表示文字列とする）に関連付けて付箋１０３を表示させたものである。なお、本実施の形態においては、マーカー表示文字列のマーカー色と付箋１０３の色とを同一色とすることでマーカー表示文字列と付箋１０３とを関連付けることとして説明するが、マーカー表示文字列の近傍に付箋１０３を表示させることで関連付けることとしても良い。
【００４２】
そして、このような付箋マーカー１０２に関する情報として、本実施の形態における付箋マーカーデータベース８６では、図３（ｃ）に示すように、マーカー表示文字列の位置情報と、マーカー表示文字列のマーカー色と、付箋１０３内に表示させるべきコメントと、当該付箋マーカー１０２を登録した自装置または他装置のユーザ名とを対応付けて、書籍コンテンツ８３０ごとに蓄積記憶するようになっている。なお、本実施の形態においては、マーカー表示文字列の位置情報として、書籍コンテンツ８３０のテキスト中でのマーカー表示文字列の位置（先頭からの文字数）が用いられている。
【００４３】
単語帳テーブル８７は、ユーザにより選択された見出し語と、当該見出し語の出典元の辞書データベース８２０の辞書名とを対応付けて蓄積記憶するものであり、本実施の形態においては、見出し語検索された後、単語帳キー２ｈによって登録操作の行われた見出し語と、出典元の辞書データベース８２０の辞書名とを対応付けて蓄積記憶するようになっている。また、この単語帳テーブル８７は、内部に記憶した見出し語ごとに、後述の単語帳共有処理（図４〜図６参照）によって当該見出し語を共有対象として単語帳テーブル８７に記憶した他装置の電子辞書１Ａの装置数をカウントして記憶するようになっている。なお、単語帳テーブル８７に登録される見出し語は、他の操作手順によって選択されることとしてもよい。
【００４４】
ＲＡＭ９０は、ＣＰＵ２０が実行する各種プログラムや、これらプログラムの実行に係るデータ等を一時的に保持するメモリ領域を備えている。
【００４５】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００４６】
［動作］
続いて、電子辞書１の動作について、図４〜図１５を参照しつつ説明する。
【００４７】
（情報表示処理）
図４〜図６は、ＣＰＵ２０が情報表示プログラム８１を読み出して実行する情報表示処理の流れを示すフローチャートである。
【００４８】
図４に示すように、この情報表示処理においては、電子辞書１に搭載された何れかの機能をユーザが選択すると（ステップＳ１）、ＣＰＵ２０は、ライブラリー機能が選択されたか否かを判定する（ステップＳ２）。
【００４９】
このステップＳ２においてライブラリー機能が選択されたと判定した場合（ステップＳ２；Ｙｅｓ）には、ＣＰＵ２０は、書籍コンテンツ８３０のダウンロードを行う旨の操作が行われるか否かを判定する（ステップＳ３）。
【００５０】
このステップＳ３においてダウンロードを行う旨の操作が行われたと判定した場合（ステップＳ３；Ｙｅｓ）には、ＣＰＵ２０は、通信部５０を介してインターネットに接続するとともに、書籍コンテンツ８３０のライブラリーについての何れかのウェブサイトをユーザ操作に基づいて選択する（ステップＳ４）。
【００５１】
次に、ユーザが書籍についての検索キーワードを入力すると（ステップＳ５）、選択されたウェブサイト内から検索キーワードに対応する書籍コンテンツ８３０が検索され、検索された書籍コンテンツ８３０の書籍名をＣＰＵ２０がメインディスプレイ１０に一覧表示させる（ステップＳ６）。
【００５２】
次に、ユーザが何れかの書籍名を選択すると（ステップＳ７）、ＣＰＵ２０は、選択された書籍名の書籍コンテンツ８３０をダウンロードしてフラッシュＲＯＭ８０または外部情報記憶媒体１２ａに記憶させる（ステップＳ８）。また、このときＣＰＵ２０は、書籍コンテンツ８３０内にダウンロード元のウェブサイトのＵＲＬを記憶させる。
【００５３】
次に、ＣＰＵ２０は、ダウンロードされた書籍コンテンツ８３０をお気に入り登録する旨の操作が行われるか否かを判定し（ステップＳ９）、行われないと判定した場合（ステップＳ９；Ｎｏ）には、上述のステップＳ１に移行する。
【００５４】
また、ステップＳ９においてお気に入り登録する旨の操作が行われたと判定した場合（ステップＳ９；Ｙｅｓ）には、ＣＰＵ２０は、お気に入り書籍登録テーブル８５における各記憶位置名「Ａ」，「Ｂ」，…をメインディスプレイ１０に一覧表示させるとともに、既にお気に入り書籍登録テーブル８５に登録された書籍名を、対応する記憶位置名に関連付けて表示させる。
【００５５】
そして、何れかの記憶位置がユーザにより選択されると（ステップＳ１０）、ＣＰＵ２０は、お気に入り書籍登録テーブル８５における選択位置に書籍コンテンツ８３０の書籍名を記憶させた後（ステップＳ１１）、上述のステップＳ１に移行する。なお、このとき書籍名の登録された書籍コンテンツ８３０がウェブサイトからダウンロードされたものである場合には、ＣＰＵ２０は、ダウンロード元のウェブサイトのＵＲＬを書籍名などに対応付けてお気に入り書籍登録テーブル８５に記憶させる。
【００５６】
また、上述のステップＳ３においてダウンロードを行う旨の操作が行われないと判定した場合（ステップＳ３；Ｎｏ）には、図５に示すように、ＣＰＵ２０は、お気に入り通信を行う旨の操作が行われるか否かを判定し（ステップＳ２１）、行われないと判定した場合（ステップＳ２１；Ｎｏ）には、他の処理へ移行する。なお、本実施の形態においてお気に入り通信とは、他装置の電子辞書１Ａとの間で、お気に入り書籍登録テーブル８５の登録情報を通信することを言う。
【００５７】
そして、ステップＳ２１においてお気に入り通信を行う旨の操作が行われたと判定した場合（ステップＳ２１；Ｙｅｓ）には、ＣＰＵ２０は、通信部５０を介して近距離無線通信を行い、周囲に存在する他装置の電子辞書１Ａを検出する（ステップＳ２２）。
【００５８】
次に、ＣＰＵ２０は、他装置の電子辞書１Ａが複数検出されたか否かを判定し（ステップＳ２３）、複数検出されないと判定した場合（ステップＳ２３；Ｎｏ）には、他装置の電子辞書１Ａが１つ検出されたか否かを判定する（ステップＳ４１）。
【００５９】
このステップＳ４１において他装置の電子辞書１Ａが１つも検出されないと判定した場合（ステップＳ４１；Ｎｏ）には、ＣＰＵ２０は、周囲に他装置の電子辞書１Ａが見つからない旨のメッセージをメインディスプレイ１０に表示させた後（ステップＳ４２）、図４に示すように、上述のステップＳ１に移行する。
【００６０】
また、図５に示すように、ステップＳ４１において他装置の電子辞書１Ａが１つ検出されたと判定した場合（ステップＳ４１；Ｙｅｓ）には、ＣＰＵ２０は、該当の他装置の電子辞書１Ａのユーザ名をメインディスプレイ１０に表示させる（ステップＳ４３）。
【００６１】
次に、ＣＰＵ２０は、この電子辞書１Ａと通信を行う旨の操作が行われるか否かを判定し（ステップＳ４４）、行われないと判定した場合（ステップＳ４４；Ｎｏ）には、図４に示すように、上述のステップＳ１に移行する一方、通信を行う旨の操作が行われたと判定した場合（ステップＳ４４；Ｙｅｓ）には、図５に示すように、この電子辞書１Ａを通信相手として選択した後、後述のステップＳ２７に移行する。
【００６２】
また、上述のステップＳ２３において他装置の電子辞書１Ａが複数検出されたと判定した場合（ステップＳ２３；Ｙｅｓ）には、ＣＰＵ２０は、検出された他装置の電子辞書１Ａそれぞれのユーザ名をメインディスプレイ１０に一覧表示させる（ステップＳ２４）。
【００６３】
次に、ＣＰＵ２０は、他装置の電子辞書１Ａの何れかと通信を行う旨の操作が行われるか否かを判定し（ステップＳ２５）、行われないと判定した場合（ステップＳ２５；Ｎｏ）には、図４に示すように、上述のステップＳ１に移行する。
【００６４】
また、図５に示すように、ステップＳ２５において何れかの電子辞書１Ａと通信を行う旨の操作が行われたと判定した場合（ステップＳ２５；Ｙｅｓ）には、メインディスプレイ１０に一覧表示された電子辞書１Ａのユーザ名から通信相手の名前がユーザによって選択された後（ステップＳ２６）、ＣＰＵ２０は、通信相手として選択されたユーザ名の電子辞書１Ａから、お気に入り書籍登録テーブル８５内の情報を通信部５０に受信させる（ステップＳ２７）。
【００６５】
次に、ＣＰＵ２０は、受信した情報（他装置の電子辞書１Ａにおけるお気に入り書籍登録テーブル８５内の情報）を、他装置の電子辞書１Ａのお気に入り一覧としてメインディスプレイ１０に表示させるとともに（ステップＳ２８）、このお気に入り一覧に含まれる各書籍名のうち、５回以上、他装置の電子辞書１Ａで共有対象としてお気に入り登録されている書籍名、つまりお気に入り一覧内で対応付けられた装置数が５以上の書籍名を、青色の太字で表示させる（ステップＳ２９）。これにより、他装置の電子辞書１Ａのお気に入り書籍登録テーブル８５から受信された各書籍名が、当該書籍名に対応付けられた装置数に応じた表示態様で表示される。
【００６６】
次に、ＣＰＵ２０は、メインディスプレイ１０に表示されたお気に入り一覧における各書籍名のうち、自装置の電子辞書１が既にフラッシュＲＯＭ８０や外部情報記憶媒体１２ａにダウンロードしている書籍コンテンツ８３０の書籍名を赤色で表示させ（ステップＳ３０）、赤色で表示された書籍名の書籍コンテンツ８３０について付箋マーカー１０２の情報が既に付箋マーカーデータベース８６に登録されているか否かを判定する（ステップＳ３１）。但し、このステップＳ３０においてＣＰＵ２０は、メインディスプレイ１０に表示されたお気に入り一覧における各書籍名のうち、既に自装置がフラッシュＲＯＭ８０や外部情報記憶媒体１２ａにダウンロードしており、かつ、付箋マーカー１０２の情報が既に付箋マーカーデータベース８６に登録されている書籍コンテンツ８３０の書籍名を赤色で表示させることとしても良い。
【００６７】
このステップＳ３１において、赤色で表示された書籍名の書籍コンテンツ８３０について付箋マーカー１０２の情報が既に付箋マーカーデータベース８６に登録されていると判定した場合（ステップＳ３１；Ｙｅｓ）には、ＣＰＵ２０は、通信相手の電子辞書１Ａにおける付箋マーカーデータベース８６から、当該書籍コンテンツ８３０についての情報を受信して、自装置の電子辞書１における付箋マーカーデータベース８６に書籍コンテンツ８３０ごとに追加記憶させた後（ステップＳ３２）、後述のステップＳ３４に移行する。なお、このステップＳ３２においてＣＰＵ２０は、自装置の電子辞書１の付箋マーカーデータベース８６と電子辞書１Ａの付箋マーカーデータベース８６とで重複している情報については、自装置の電子辞書１の付箋マーカーデータベース８６に記憶させず、重複を防止するようになっている。
【００６８】
また、ステップＳ３１において、赤色で表示された書籍名の書籍コンテンツ８３０について付箋マーカー１０２の情報が未だ付箋マーカーデータベース８６に登録されていないと判定した場合（ステップＳ３１；Ｎｏ）には、ＣＰＵ２０は、お気に入り一覧に書籍名の表示された書籍コンテンツ８３０のうち、自装置の電子辞書１に未収録の書籍コンテンツ８３０をダウンロードする旨の操作が行われるか否かを判定し（ステップＳ３３）、行われないと判定した場合（ステップＳ３３；Ｎｏ）には、図４に示すように、上述のステップＳ１に移行する。
【００６９】
また、図５に示すように、ステップＳ３３において自装置の電子辞書１に未収録の書籍コンテンツ８３０をダウンロードする旨の操作が行われたと判定した場合（ステップＳ３３；Ｙｅｓ）には、何れかの書籍名が共有対象の書籍名としてユーザにより選択されると（ステップＳ３４）、ＣＰＵ２０は、共有対象として選択された書籍名の書籍コンテンツ８３０をインターネットからダウンロードしてフラッシュＲＯＭ８０または外部情報記憶媒体１２ａに記憶させる（ステップＳ３５）。より詳細には、このときＣＰＵ２０は、通信相手の電子辞書１Ａにおけるお気に入り書籍登録テーブル８５において書籍名等に対応付けられたＵＲＬのウェブサイトから書籍コンテンツ８３０をダウンロードするとともに、ダウンロードした書籍コンテンツ８３０内に当該ウェブサイトのＵＲＬを記憶させる。
【００７０】
次に、ＣＰＵ２０は、共有対象の書籍名を、通信相手の電子辞書１Ａに通信部５０から送信した後（ステップＳ３６）、図４に示すように、上述のステップＳ１０に移行する。これにより、ステップＳ１０〜Ｓ１１によってお気に入り書籍登録テーブル８５に登録される書籍名が、通信相手の電子辞書１Ａに送信される。そして、当該電子辞書１ＡのＣＰＵ２０は、受信した書籍名にお気に入り書籍登録テーブル８５内で対応付けられた装置数を「１」増加させる。
【００７１】
また、上述のステップＳ２においてライブラリー機能が選択されないと判定した場合（ステップＳ２；Ｎｏ）には、ＣＰＵ２０は、図６に示すように、お気に入り一覧を表示させる旨の操作が行われるか否かを判定し（ステップＳ５０）、行われないと判定した場合（ステップＳ５０；Ｎｏ）には、他の処理へ移行する。
【００７２】
また、ステップＳ５０においてお気に入り一覧を表示させる旨の操作が行われたと判定した場合（ステップＳ５０；Ｙｅｓ）には、ＣＰＵ２０は、お気に入り書籍登録テーブル８５に記憶された書籍名をメインディスプレイ１０に一覧表示させる（ステップＳ５１）。
【００７３】
次に、書籍名の一覧から何れかの書籍名がユーザにより選択されると（ステップＳ５２）、ＣＰＵ２０は、選択された書籍コンテンツ８３０のテキストをメインディスプレイ１０に表示させる（ステップＳ５３）。
【００７４】
次に、ＣＰＵ２０は、付箋マーカーデータベース８６から、選択された書籍コンテンツ８３０についての付箋マーカー１０２の情報（マーカー表示文字列の位置情報、マーカー色、付箋１０３内に表示されるコメント、付箋マーカー１０２を登録したユーザ名）を読み出す。そして、ＣＰＵ２０は、読み出した情報に基づいて、書籍コンテンツ８３０のテキストのうち、メインディスプレイ１０による表示対象部分のテキストに含まれるマーカー表示文字列を、対応のマーカー色でマーカー表示させるとともに、各マーカー表示文字列に関連付けて、対応のマーカー色の付箋１０３を表示させ、マーカー表示文字列に対応付けられたコメント及びユーザ名を当該付箋１０３内に表示させる（ステップＳ５４）。なお、本実施の形態における当該ステップＳ５４と、後述のステップＳ６３とにおいてＣＰＵ２０は、自装置の電子辞書１で登録された付箋マーカー１０２では、付箋１０３内にユーザ名を表示させないようになっているが、表示させることとしても良い。
【００７５】
次に、ユーザから操作を受けると（ステップＳ６０）、ＣＰＵ２０は、表示スクロール操作がされたか否かを判定する（ステップＳ６１）。
【００７６】
このステップＳ６１において表示スクロール操作がされたと判定した場合（ステップＳ６１；Ｙｅｓ）には、ＣＰＵ２０は、ユーザ操作に応じてテキストをスクロールしてメインディスプレイ１０による表示対象部分を変更する（ステップＳ６２）。
【００７７】
次に、ＣＰＵ２０は、付箋マーカーデータベース８６から読み出した情報に基づいて、変更後の表示対象部分のテキストに含まれるマーカー表示文字列を、対応のマーカー色でマーカー表示させるとともに、各マーカー表示文字列に関連付けて、対応のマーカー色の付箋１０３を表示させ、マーカー表示文字列に対応付けられたコメント及びユーザ名を当該付箋１０３内に表示させ（ステップＳ６３）、上述のステップＳ６０に移行する。
【００７８】
また、上述のステップＳ６１において表示スクロール操作がされないと判定した場合（ステップＳ６１；Ｎｏ）には、ＣＰＵ２０は、付箋マーカー１０２の登録操作がされたか否かを判定する（ステップＳ６４）。
【００７９】
このステップＳ６４において付箋マーカー１０２の登録操作がされないと判定した場合（ステップＳ６４；Ｎｏ）には、ＣＰＵ２０は、戻るキー２ｇが操作されたか否かを判定する（ステップＳ６５）。
【００８０】
そして、このステップＳ６５において戻るキー２ｇが操作されたと判定した場合（ステップＳ６５；Ｙｅｓ）には、ＣＰＵ２０は、図４に示すように、上述のステップＳ１に移行する。また、ステップＳ６５において戻るキー２ｇが操作されないと判定した場合（ステップＳ６５；Ｎｏ）には、ＣＰＵ２０は、図６に示すように、他の処理へ移行する。
【００８１】
また、上述のステップＳ６４において付箋マーカー１０２の登録操作がされたと判定した場合（ステップＳ６４；Ｙｅｓ）には、入力部３０を介してユーザからマーカー色の選択操作が行われ（ステップＳ７０）、テキスト内の文字列をマーカー表示文字列として指定する指定操作が行われた後（ステップＳ７１）、ＣＰＵ２０は、当該マーカー表示文字列を当該マーカー色でマーカー表示させる（ステップＳ７２）。なお、上述のステップＳ７０においては、ユーザはマーカー色として無色を選択することができる。
【００８２】
次に、ユーザが付箋１０３内に表示させるコメント、つまりマーカー表示文字列についてのコメントを入力部３０から入力すると（ステップＳ７３）、ＣＰＵ２０は、ステップＳ７０で選択されたマーカー色の付箋１０３をマーカー表示文字列に関連付けて表示させ、その付箋１０３内に、当該コメントを表示させる（ステップＳ７４）。
【００８３】
そして、ＣＰＵ２０は、マーカー表示文字列の位置情報と、マーカー色と、コメントと、自装置の電子辞書１のユーザ名とを対応付けて、選択された書籍コンテンツ８３０についての付箋マーカー１０２の情報として付箋マーカーデータベース８６に記憶させ（ステップＳ７５）、上述のステップＳ６０に移行する。
【００８４】
（情報表示処理の動作例）
続いて、図７〜図１２を参照しつつ、上記の情報表示処理を具体的に説明する。なお、以下の説明においては、ユーザ「アスカ先生」，「ゆい」，「ひかり」が各自の電子辞書１を用いて操作を行うこととして説明する。
【００８５】
まず、「アスカ先生」が電子辞書１で書籍コンテンツ８３０のダウンロードを行う旨の操作を行い（ステップＳ３；Ｙｅｓ）、書籍コンテンツ８３０のライブラリーについての何れかのウェブサイトを選択して（ステップＳ４）、検索キーワード「漱石」を入力すると（ステップＳ５）、図７（ａ）に示すように、選択されたウェブサイト内から検索キーワード「漱石」に対応する書籍コンテンツ８３０が検索され、検索された書籍コンテンツ８３０の書籍名「ぼっちゃん」，…がメインディスプレイ１０に一覧表示される（ステップＳ６）。
【００８６】
次に、「アスカ先生」が書籍名「もう死にます」を選択すると（ステップＳ７）、書籍名「もう死にます」の書籍コンテンツ８３０がダウンロードされて外部情報記憶媒体１２ａに記憶される（ステップＳ８）。また、書籍コンテンツ８３０内にはダウンロード元のウェブサイトのＵＲＬが記憶される。
【００８７】
次に、図７（ｂ）に示すように、ダウンロードされた書籍コンテンツ８３０をお気に入り登録する旨の操作を「アスカ先生」が行うと（ステップＳ９；Ｙｅｓ）、図７（ｃ）に示すように、お気に入り書籍登録テーブル８５における各記憶位置名「Ａ」，「Ｂ」，…がメインディスプレイ１０に一覧表示されるとともに、既にお気に入り書籍登録テーブル８５に登録された書籍名「六つになる子供」，…が、対応する記憶位置名に関連付けて表示される。
【００８８】
そして、「アスカ先生」が記憶位置「Ｄ」を選択すると（ステップＳ１０）、お気に入り書籍登録テーブル８５における選択位置「Ｄ」に書籍コンテンツ８３０の書籍名「もう死にます」が記憶される（ステップＳ１１）。また、このとき、書籍名「もう死にます」の書籍コンテンツ８３０のダウンロード元のＵＲＬが、書籍名などに対応付けられてお気に入り書籍登録テーブル８５に記憶される。
【００８９】
次に、「アスカ先生」がお気に入り一覧を表示させる旨の操作を行うと（ステップＳ５０；Ｙｅｓ）、図８（ａ）に示すように、お気に入り書籍登録テーブル８５に記憶された書籍名がメインディスプレイ１０に一覧表示される（ステップＳ５１）。
【００９０】
次に、書籍名の一覧から書籍名「もう死にます」を「アスカ先生」が選択すると（ステップＳ５２）、図８（ｂ）に示すように、選択された書籍コンテンツ８３０のテキストがメインディスプレイ１０に表示される（ステップＳ５３）。
【００９１】
次に、「アスカ先生」が付箋マーカー１０２の登録操作を行い（ステップＳ６４；Ｙｅｓ）、マーカー色として赤色の選択操作を行い（ステップＳ７０）、テキスト内の文字列「百年、私の墓の…」をマーカー表示文字列として指定すると（ステップＳ７１）、図８（ｃ）に示すように、当該マーカー表示文字列「百年、私の墓の…」が赤色でマーカー表示される（ステップＳ７２）。
【００９２】
次に、「アスカ先生」が付箋１０３内に表示させるコメント「この言葉、ポエム的ですね」を入力すると（ステップＳ７３）、赤色の付箋１０３がマーカー表示文字列「百年、私の墓の…」に関連付けて表示され、その付箋１０３内にコメント「この言葉、ポエム的ですね」が表示される（ステップＳ７４）。
【００９３】
そして、マーカー表示文字列「百年、私の墓の…」の位置情報と、マーカー色「赤色」と、コメント「この言葉、ポエム的ですね」と、自装置の電子辞書１のユーザ名「アスカ先生」とが対応付けられて、「もう死にます」の書籍コンテンツ８３０についての付箋マーカー１０２の情報として付箋マーカーデータベース８６に記憶される（ステップＳ７５）。
【００９４】
次に、「ゆい」が自分の電子辞書１でお気に入り通信を行う旨の操作を行うと（ステップＳ２１；Ｙｅｓ）、図９（ａ）に示すように、近距離無線通信が行われて、周囲に存在する「アスカ先生」，「ひかり」の電子辞書１が検出され（ステップＳ２２、ステップＳ２３；Ｙｅｓ）、検出された電子辞書１のユーザ名「アスカ先生」，「ひかり」がメインディスプレイ１０に一覧表示される（ステップＳ２４）。
【００９５】
次に、一覧表示されたユーザ名から通信相手の名前「アスカ先生」を「ゆい」が選択すると（ステップＳ２６）、「アスカ先生」の電子辞書１から、お気に入り書籍登録テーブル８５内の情報が受信される（ステップＳ２７）。
【００９６】
次に、図９（ｂ）に示すように、「アスカ先生」の電子辞書１のお気に入り一覧がメインディスプレイ１０に表示されるとともに（ステップＳ２８）、このお気に入り一覧に含まれる各書籍名「六つになる子供」，…のうち、お気に入り一覧内で対応付けられた装置数が５以上の書籍名「もう死にます」が青色の太字で表示される（ステップＳ２９）。また、お気に入り一覧における各書籍名のうち、「ゆい」の電子辞書１が既にダウンロードしている書籍コンテンツ８３０の書籍名「運慶」が赤色で表示される（ステップＳ３０）。なお、図９（ｂ）等では、図示の便宜上、赤色で表示された文字を斜字体で記載している。
【００９７】
次に、赤色で表示された書籍名「運慶」の書籍コンテンツ８３０について付箋マーカー１０２の情報が未だ「ゆい」の電子辞書１の付箋マーカーデータベース８６に登録されていないと判定された後（ステップＳ３１；Ｎｏ）、お気に入り一覧に書籍名の表示された書籍コンテンツ８３０のうち、「ゆい」が自身の電子辞書１に未収録の書籍コンテンツ８３０をダウンロードする旨の操作を行うと（ステップＳ３３；Ｙｅｓ）、共有対象の書籍名が選択可能となる。
【００９８】
そして、図９（ｃ）に示すように、「ゆい」が書籍名「もう死にます」を共有対象の書籍名として選択すると（ステップＳ３４）、「アスカ先生」の電子辞書１におけるお気に入り書籍登録テーブル８５において書籍名「もう死にます」等に対応付けられたＵＲＬのウェブサイトから、その書籍コンテンツ８３０がインターネットからダウンロードされて外部情報記憶媒体１２ａに記憶される（ステップＳ３５）。
【００９９】
次に、共有対象の書籍名「もう死にます」が「アスカ先生」の電子辞書１に送信され（ステップＳ３６）、「アスカ先生」の電子辞書１では、受信した書籍名「もう死にます」にお気に入り書籍登録テーブル８５内で対応付けられた装置数が「１」増加される。
【０１００】
次に、図１０（ａ）に示すように、「ゆい」の電子辞書１のお気に入り書籍登録テーブル８５における各記憶位置名「Ａ」，「Ｂ」，…がメインディスプレイ１０に一覧表示されるとともに、既にお気に入り書籍登録テーブル８５に登録された書籍名「ぼっちゃん」，…が、対応する記憶位置名に関連付けて表示される。
【０１０１】
そして、図１０（ｂ）に示すように、ゆーざ「ゆい」が記憶位置「Ｃ」を選択すると（ステップＳ１０）、お気に入り書籍登録テーブル８５における選択位置「Ｃ」に書籍コンテンツ８３０の書籍名「もう死にます」が記憶される（ステップＳ１１）。また、このとき、書籍名「もう死にます」の書籍コンテンツ８３０のダウンロード元のＵＲＬが書籍名などに対応付けられてお気に入り書籍登録テーブル８５に記憶される。
【０１０２】
次に、「ゆい」がお気に入り一覧を表示させる旨の操作を行って（ステップＳ５０；Ｙｅｓ）、書籍名の一覧から書籍名「もう死にます」を選択すると（ステップＳ５２）、図１０（ｃ）に示すように、選択された書籍コンテンツ８３０のテキストがメインディスプレイ１０に表示される（ステップＳ５３）。
【０１０３】
次に、「ゆい」が付箋マーカー１０２の登録操作を行い（ステップＳ６４；Ｙｅｓ）、マーカー色として青色の選択操作を行い（ステップＳ７０）、テキスト内の文字列「たった一つ瞬いていた。」をマーカー表示文字列として指定する指定操作を行うと（ステップＳ７１）、当該マーカー表示文字列「たった一つ瞬いていた。」が青色でマーカー表示される（ステップＳ７２）。
【０１０４】
次に、「ゆい」が付箋１０３内に表示させるコメント「姿は変わっても，…」を入力部３０から入力すると（ステップＳ７３）、図１１（ａ）に示すように、青色の付箋１０３がマーカー表示文字列「たった一つ瞬いていた。」に関連付けて表示され、その付箋１０３内にコメント「姿は変わっても，…」が表示される（ステップＳ７４）。
【０１０５】
そして、マーカー表示文字列の位置情報「たった一つ瞬いていた。」と、マーカー色「青色」と、コメント「姿は変わっても，…」と、自装置の電子辞書１のユーザ名「ゆい」とが対応付けられて、「もう死にます」の書籍コンテンツ８３０についての付箋マーカー１０２の情報として付箋マーカーデータベース８６に記憶される（ステップＳ７５）。
【０１０６】
次に、「ゆい」が再び自分の電子辞書１でお気に入り通信を行う旨の操作を行うと（ステップＳ２１；Ｙｅｓ）、図１１（ｂ）に示すように、近距離無線通信が行われて、周囲に存在する「アスカ先生」，「ひかり」の電子辞書１が検出され（ステップＳ２２、ステップＳ２３；Ｙｅｓ）、検出された電子辞書１のユーザ名「アスカ先生」，「ひかり」がメインディスプレイ１０に一覧表示される（ステップＳ２４）。
【０１０７】
次に、一覧表示されたユーザ名から通信相手の名前「ひかり」を「ゆい」が選択すると（ステップＳ２６）、図１２（ａ）に示すように、「ひかり」の電子辞書１から、お気に入り書籍登録テーブル８５内の情報が受信される（ステップＳ２７）。
【０１０８】
次に、「ひかり」の電子辞書１のお気に入り一覧がメインディスプレイ１０に表示されるとともに（ステップＳ２８）、このお気に入り一覧に含まれる各書籍名「我輩はねこ」，…のうち、「ゆい」の電子辞書１が既にダウンロードしている書籍コンテンツ８３０の書籍名「もう死にます」が赤色で表示される（ステップＳ３０）。
【０１０９】
次に、赤色で表示された書籍名「もう死にます」の書籍コンテンツ８３０について付箋マーカー１０２の情報が「ゆい」の電子辞書１の付箋マーカーデータベース８６に既に登録されていると判定され（ステップＳ３１；Ｙｅｓ）、「ひかり」の電子辞書１における付箋マーカーデータベース８６から、当該書籍コンテンツ８３０についての情報が受信されて、「ゆい」の電子辞書１における付箋マーカーデータベース８６に追加記憶される（ステップＳ３２）。なお、本動作例においては、このとき「ひかり」の電子辞書１では、既に「アスカ先生」の電子辞書１とお気に入り通信を行って書籍名「もう死にます」の書籍コンテンツ８３０についての付箋マーカー１０２の情報を受信しており、かつ、この書籍コンテンツ８３０のテキスト中、「たった一つ瞬いていた。」との文字列（図１０（ｃ）参照）にマーカー色「黄色」で付箋マーカー１０２を登録しているものとして説明する。
【０１１０】
次に、「ゆい」がお気に入り一覧を表示させる旨の操作を行って（ステップＳ５０；Ｙｅｓ）、書籍名の一覧から書籍名「もう死にます」を選択すると（ステップＳ５２）、図１２（ｂ）に示すように、選択された書籍コンテンツ８３０のテキストがメインディスプレイ１０に表示される（ステップＳ５３）。
【０１１１】
次に、付箋マーカーデータベース８６から、書籍名「もう死にます」の書籍コンテンツ８３０についての付箋マーカー１０２の情報が読み出され、当該書籍コンテンツ８３０のテキストのうち、メインディスプレイ１０による表示対象部分のテキストに含まれるマーカー表示文字列「百年、私の墓の…」が赤色でマーカー表示されるとともに、当該マーカー表示文字列に関連付けて赤色の付箋１０３が表示され、マーカー表示文字列「百年、私の墓の…」に対応付けられたコメント「この言葉、ポエム的ですね」及びユーザ名「アスカ先生」が付箋１０３内に表示される（ステップＳ５４）。
【０１１２】
次に、「ゆい」が表示スクロール操作を行うと（ステップＳ６１；Ｙｅｓ）、図１２（ｃ）に示すように、テキストがスクロールされてメインディスプレイ１０による表示対象部分が変更され（ステップＳ６２）、変更後の表示対象部分のテキストに含まれるマーカー表示文字列「たった一つ瞬いていた。」が青色及び黄色でそれぞれマーカー表示され、当該マーカー表示文字列に関連付けて青色，黄色の付箋１０３がそれぞれ表示されるとともに、コメント「姿は変わっても，…」が青色の付箋１０３内に表示され、コメント「なんだか悲しい」及びユーザ名「ひかり」が黄色の付箋１０３内に表示される（ステップＳ６３）。
【０１１３】
（単語帳共有処理）
図１３は、ＣＰＵ２０が情報表示プログラム８１を読み出して実行する単語帳共有処理の流れを示すフローチャートである。また、図１４〜図１５は、単語帳共有処理の実行時における表示部４０の表示内容を示す図である。
【０１１４】
なお、以下の説明においては、２つの電子辞書１が通信を行うものとして説明を行う。また、これら２つの電子辞書１の一方を電子辞書１Ｘ，他方を電子辞書１Ｙとして区別するとともに、電子辞書１Ｘの各部には符号の末尾に「Ｘ」を、他方の電子辞書１Ｙの各部には符号の末尾に「Ｙ」を付して両者を区別する。
【０１１５】
図１３に示すように、この単語帳共有処理においては、まず電子辞書１Ｙにおいてユーザが受信対象として単語帳テーブル８７を選択すると（ステップＴ１）、電子辞書１ＹのＣＰＵ２０Ｙは、電子辞書１Ｘから単語帳テーブル８７Ｘ内の情報を受信する（ステップＴ２）。
【０１１６】
より詳細には、図１４（ａ）に示すように、電子辞書１ＹにおいてＣＰＵ２０Ｙは、単語帳テーブル８７Ｙに記憶された見出し語を一覧表示した状態で、情報の送受信を指示する操作をユーザが行うと、単語帳テーブル８７内の情報を受信対象として設定するとともに、送受信の待ち受け状態に入るか否かについての選択メニューをメインディスプレイ１０Ｙに表示させる。次に、送受信の待ち受け状態に入る旨の選択メニューがユーザにより選択されると、図１４（ｂ）に示すように、ＣＰＵ２０Ｙは、待ち受け状態に入った旨のメッセージをメインディスプレイ１０Ｙに表示させる。そして、ＣＰＵ２０Ｙは、通信部５０Ｙを介して電子辞書１Ｘにおける単語帳テーブル８７Ｘ内の情報（見出し語と、辞書名と、装置数とを対応付けた複数種類の情報）を受信する。
【０１１７】
次に、電子辞書１ＹのＣＰＵ２０Ｙが待ち受け状態を解除すると（ステップＴ３）、電子辞書１ＸのＣＰＵ２０Ｘは情報の送信を終了する。
【０１１８】
次に、図１４（ｃ）に示すように、ＣＰＵ２０Ｙは、待ち受け状態を解除した旨のメッセージと、再び待ち受け状態に入るか否かについての選択メニューとをメインディスプレイ１０Ｙに表示させ、再び待ち受け状態に入る旨の操作が電子辞書１Ｙに対して行われるか否かを判定し（ステップＴ４）、待ち受け状態に入る旨の操作が行われたと判定した場合（ステップＴ４；Ｙｅｓ）には、上述のステップＴ２に移行する。
【０１１９】
また、ステップＴ４において待ち受け状態に入らない旨の操作が電子辞書１Ｙに対して行われたと判定した場合（ステップＴ４；Ｎｏ）には、ＣＰＵ２０Ｙは、受信データの整理を行う（ステップＴ５）。具体的には、図１５（ａ）に示すように、まずＣＰＵ２０Ｙは、受信データに含まれる見出し語の並び順についての選択メニューとして、「取り込まれた装置数」（見出し語を共有対象として単語帳テーブル８７に記憶させた装置数）などをメインディスプレイ１０に表示させる。そして、「取り込まれた装置数」の選択メニューが選択されると、図１５（ｂ）に示すように、ＣＰＵ２０Ｙは、対応付けられた装置数の多い順に見出し語を並び替えて、見出し語と、当該見出し語の収録元の辞書名とを対応付けてメインディスプレイ１０Ｙに一覧表示させるとともに、この一覧に含まれる各見出し語のうち、５回以上、他装置の電子辞書１Ａ（ここでは電子辞書１Ｘを除いた他装置の電子辞書１）で共有対象として単語帳テーブル８７に登録されている見出し語、つまり受信データ内で対応付けられた装置数が５以上の見出し語を所定の色でマーカー表示させる。これにより、他装置の電子辞書１Ａのお気に入り単語帳テーブル８７から受信された各見出し語が、当該見出し語に対応付けられた装置数に応じた表示態様で表示される。更に、このときＣＰＵ２０Ｙは、一覧に含まれる見出し語のうち、既に単語帳テーブル８７Ｙに登録されている見出し語を、太字で識別表示させる。なお、図１５（ｂ）では、「Ａ」〜「Ｇ」の見出し語がマーカー表示されており、「Ｅ」の見出し語が太字で表示されている。
【０１２０】
但し、以上のステップＴ５では、図１４（ｄ）に示すように、受信した情報の整理を行うか否かについての選択メニューをＣＰＵ２０Ｙがメインディスプレイ１０Ｙに表示させ、整理を行う旨の操作が行われた場合にのみ、受信した情報の整理を行うこととしても良い。
【０１２１】
そして、ＣＰＵ２０Ｙは、上述の図１５（ｂ）に示すように、何れかの見出し語が共有対象の見出し語としてユーザにより選択されると、選択された見出し語を単語帳テーブル８７に記憶させた後（ステップＴ６）、図１５（ｃ）に示すように、単語帳テーブル８７内の見出し語を、出典元の辞書データベース８２０の辞書名と関連付けてメインディスプレイ１０に表示させる。なお、図１５（ｂ）では、図中の左側のチェックボックスでチェックされた見出し語が、共有対象として選択されている。
【０１２２】
そして、単語帳テーブル８７に共有対象として登録された見出し語が電子辞書１Ｙの通信部５０から電子辞書１Ｘに送信されると（ステップＴ７）、電子辞書１ＸのＣＰＵ２０Ｘは、受信した見出し語に単語帳テーブル８７内で対応付けられた装置数を「１」増加させ、単語帳共有処理を終了する。
【０１２３】
以上の電子辞書１によれば、図３（ｂ）や図５のステップＳ２７〜Ｓ２９や図９（ｂ）などに示したように、書籍名ごとに、当該書籍名を共有対象の書籍名として記憶した他装置の装置数がカウントして記憶されるとともに、他装置から各書籍名が前記装置数とともに受信され、受信された各書籍名が前記装置数に応じた表示態様で表示されるので、多数のユーザが他装置で共有対象として記憶した書籍名を、自装置に取り込むことができる。従って、他人が登録した膨大な量の書籍名が自装置に無条件に取り込まれてしまう従来の場合と異なり、他人の登録した書籍名を自分の好みに応じて適切かつ容易に共有することができる。
【０１２４】
また、図５のステップＳ３２や図１２などに示したように、書籍名の送信元としての他装置から、当該他装置において各書籍コンテンツ８３０について付箋マーカーデータベース８６に記憶されたマーカー表示文字列の情報のうち、自装置に記憶されている書籍コンテンツ８３０について記憶された情報が受信され、受信された情報が書籍コンテンツ８３０ごとに付箋マーカーデータベース８６に追加記憶されるので、自装置に記憶された書籍コンテンツ８３０について、マーカー表示文字列の情報を共有することができる。
【０１２５】
また、図３（ｃ）や図６のステップＳ２４、図１２（ｃ）等に示したように、マーカー表示文字列の位置情報及びコメントに対応付けて、当該コメントの入力された自装置または他装置のユーザ名が付箋マーカーデータベース８６に記憶され、マーカー表示文字列に対応するコメント及びユーザ名が当該マーカー表示文字列に関連付けて表示されるので、コメントの作成者を容易に確認することができる。
【０１２６】
また、図１３のステップＴ５や図１５（ｂ）などに示したように、見出し語ごとに、当該見出し語を共有対象の見出し語として記憶した他装置の装置数がカウントして記憶されるとともに、他装置から各見出し語が前記装置数とともに受信され、受信された各見出し語が前記装置数に応じた表示態様で表示されるので、多数のユーザが他装置で共有対象として記憶した見出し語を、自装置に取り込むことができる。従って、他人が登録した膨大な量の単語が自装置に無条件に取り込まれてしまう従来の場合と異なり、他人の登録した単語を自分の好みに応じて適切かつ容易に共有することができる。
【０１２７】
また、図１３のステップＴ５や図１５（ｂ）などに示したように、受信された見出し語のうち、既に単語帳テーブル８７に記憶されている見出し語が識別表示されるので、見出し語が重複して登録されるのを容易に防止することができる。
【０１２８】
なお、本発明を適用可能な実施形態は、上述した実施形態に限定されることなく、本発明の趣旨を逸脱しない範囲で適宜変更可能である。
【０１２９】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能なメモリカード、ＣＤ等に記憶されることとしてもよい。
【０１３０】
また、他装置の電子辞書１におけるお気に入り書籍登録テーブル８５，単語帳テーブル８７に登録された書籍名，見出し語のうち、共有対象として記憶された装置数が「５」以上である書籍名，見出し語を青色の太字やマーカー表示で識別表示することとして説明したが、装置数についての閾値を複数設定しておき、段階的な表示態様でそれぞれ識別表示することとしても良い。
【符号の説明】
【０１３１】
１      電子辞書
２０    ＣＰＵ
３０    入力部
４０    表示部
８１    情報表示プログラム
８２０  辞書データベース
８３０  書籍コンテンツ
【図１】
0005659618.tif 000002
【図２】
0005659618.tif 000003
【図３】
0005659618.tif 000004
【図４】
0005659618.tif 000005
【図５】
0005659618.tif 000006
【図６】
0005659618.tif 000007
【図７】
0005659618.tif 000008
【図８】
0005659618.tif 000009
【図９】
0005659618.tif 000010
【図１０】
0005659618.tif 000011
【図１１】
0005659618.tif 000012
【図１２】
0005659618.tif 000013
【図１３】
0005659618.tif 000014
【図１４】
0005659618.tif 000015
【図１５】
0005659618.tif 000016